(57)【特許請求の範囲】
【請求項１】
建物の室内に壁に沿って移動自在に移動パネルを設け、移動パネルの移動領域の一部に開口部を設け、移動パネルにより開口部を室内側から遮蔽自在として成る建物開口部の構造であって、開口部の上縁部に沿って開口部の上縁部よりも長く且つ上面部が板状装飾体を載置する物品載置面となった棚を壁の室内側の面に沿って配設し、棚の室内側の端の上端部に滑り止め用突状部を突設し、棚に取付けた上のレールに移動パネルの上部を移動自在として成ることを特徴とする建物開口部の構造。
【請求項２】
棚の上面部に板状装飾体の下端部を支持するための支持突起を設けて成ることを特徴とする請求項１記載の建物開口部の構造。
【請求項３】
移動パネルに通気孔部を設け、該通気孔部に通気隙間を介して通気孔部を覆う遮蔽部を設けて成ることを特徴とする請求項１記載の建物開口部の構造。  
【発明の詳細な説明】
【０００１】
【発明の属する技術分野】
本発明は、建物開口部の構造に関するものである。
【０００２】
【従来の技術】
従来から建物の開口部には扉、戸等の閉塞要素が取付けてあって、閉塞要素により開口部を閉塞しているだけである。したがって、室内において開口部を見ると必ず閉塞要素を備えた開口部が露出したものだけが見えることになる。
【０００３】
このように閉塞要素を備えた開口部が露出すると落ち着いた雰囲気の部屋とすることができないので、従来にあっては、室内側において布製のカーテンやロールブラインド等により開口部を遮蔽することが行われているが、布製のカーテンやロールブラインドで遮蔽しただけでは開口部の十分な遮蔽ができず、特に、視覚的な意味で、開口部の無い別の部屋のような状態に室内を演出することができないという問題があった。
【０００４】
【発明が解決しようとする課題】
本発明は上記の点に鑑みてなされたものであり、開口部を室内側から遮蔽した場合には開口部を確実に遮蔽し、室内において開口部の存在を視覚的に感じさせないようにできて、開口部の無い別の部屋のような状態に室内を演出することが可能となり、移動パネルを移動するのみで部屋の感じを異なる感じに変更することができる建物開口部の構造を提供することを課題とするものである。
【０００５】
【課題を解決するための手段】
上記課題を解決するために本発明に係る建物開口部の構造は、建物の室内に壁６に沿って移動自在に移動パネル４を設け、移動パネル４の移動領域の一部に開口部２を設け、移動パネル４により開口部２を室内側から遮蔽自在として成る建物開口部の構造であって、開口部２の上縁部に沿って開口部２の上縁部よりも長く且つ上面部が板状装飾体１０を載置する物品載置面５ａとなった棚を壁６の室内側の面に沿って配設し、棚の室内側の端の上端部に滑り止め用突状部１６を突設し、棚に取付けた上のレール３ａに移動パネル４の上部を移動自在として成ることを特徴とするものである。このように建物の室内に壁６に沿って移動自在に移動パネル４を設け、移動パネル４の移動領域の一部に開口部２を設け、移動パネル４により開口部２を室内側から遮蔽自在とすることで、室内側から見て開口部２が見えない状態としたい場合には移動パネル４を移動して開口部２を遮蔽することで、開口部２部分に移動パネル４が見えて室内において開口部２の存在を視覚的に感じさせないようにできるものである。また、室内側から見て開口部２を露出したい場合には移動パネル４を移動して開口部２を露出させることができて通常の室内と同じ雰囲気とすることができるものである。また開口部２の上縁部に沿って開口部２の上縁部よりも長い上化粧部材５を壁６の室内側の面に沿って配設し、上化粧部材５に取付けた上のレール３ａに移動パネル４の上部を移動自在とすることで、移動パネル４を室内側において簡単な構成で移動自在とすることができるものである。また開口部２の上及び開口部２の上の側方に簡単な構成で棚を形成できるものである。
【０００６】
また、棚の上面部に板状装飾体１０の下端部を支持するための支持突起１１を設けてあることが好ましい。このような構成とすることで、棚の上面に額や飾りパネル等の板状装飾体１０の下端部を載せて板状装飾体１０を室内側壁面６に立て掛けた際に、板状装飾体１０の下端部が支持突起１１により支持されて滑らないようにできるものである。
【０００７】
また、移動パネル４に通気孔部７を設け、該通気孔部７に通気隙間８を介して通気孔部７を覆う遮蔽部９を設けることが好ましい。このような構成とすることで、開口部２を移動パネル４で覆ったにもかかわらず室内の通気が可能となるものである。
【００１０】
【発明の実施の形態】
以下、本発明を添付図面に示す実施形態に基づいて説明する。
【００１１】
建物の壁６には開口部２が設けてある。この開口部２には戸や扉等の閉塞要素１が設けてあり、閉塞要素１は開閉自在となっていて開口部２を開放したり閉じたりすることができるようになっている。もちろん、開閉要素１が嵌め殺しとなったいわゆるはめ殺しの窓であってもよい。
【００１２】
上記のような開口部２を有する建物の壁６の室内側の面に沿ってレール３を設け、このレール３に移動パネル４を移動自在に取付けてあり、移動パネル４の移動領域の一部に開口部２が位置していて、移動パネル４を移動することで開口部２を遮蔽自在となっている。
【００１３】
すなわち、壁６の室内側の面に開口部２の上縁部に沿って開口部２の上縁部よりも長い上化粧部材５を取付け金具１２を用いて取付けてあり、上化粧部材５の下面部に上化粧部材５の長手方向に沿って上のレール３ａを設け、この上のレール３ａに移動パネル４の上端部に設けた上走行部１３を移動自在に吊り下げてある。また、壁６の室内側の面に開口部２の下縁部に沿って開口部２の下縁部よりも長い下化粧部材１４を配設してあり、下化粧部材１４の上面部に下化粧部材１４の長手方向に沿って下のレール３ｂを設け、この下のレール３ｂに移動パネル４の下端部に設けた下走行部１５を移動自在に取付けてある。
【００１４】
上記実施形態においてはレール３を上のレール３ａと下のレール３ｂとで構成してあるが、レール３を上のレール３ａのみで構成して上のレール３ａに移動パネル４を走行自在に吊り下げたものであってもよい。
【００１５】
ここで、上化粧部材５は棚としての機能を備えており、上面部が物品載置面５ａとなっており、物品載置面５ａに額や飾りパネル等の板状装飾体１０を載置することができるようになっている。また、上化粧部材５の前端上端部には滑り止め用突条部１６が突設してある。更に、上化粧部材５の上面部の物品載置面５ａには前後方向に複数個の支持突起１１が突設してある。この支持突起１は図１に示すように上化粧部材５の物品載置面５ａに額や飾りパネル等の板状装飾体１０の下端部を載せて板状装飾体１０を室内側壁面６に立て掛けた際に、板状装飾体１０の下端部が支持突起１１により支持されて滑らないようになっている。
【００１６】
下化粧部材１４はカウンターとしての機能を備えており、必要に応じて下化粧部材１４の下に収納体１７を設けてある。
【００１７】
移動パネル４の表面は部屋の壁面の一部を構成するものであって化粧面となっている。この移動パネル４は１乃至複数枚設けられ、壁６に設けた開口部２を遮蔽する場合には移動パネル４をレール３に沿って移動することで図３（ｂ）のように１乃至複数枚の移動パネル４により遮蔽するようになっている。このように、移動パネル４により開口部２を遮蔽すると、室内において開口部２の存在を視覚的に感じさせないようにできて、開口部２の無い別の部屋のような状態に室内を演出することが可能となるものである。この場合、開口部２部分が外観的に壁６の一部を構成する移動パネル４により覆われるので、開口部２部分が壁６としての外観となるものである。
【００１８】
一方、室内において開口部２を露出する場合には、移動パネル４を移動して図３（ａ）のように開口部２を露出させるものである。この場合には、移動パネル４が壁６の室内面の一部を覆って外観的に壁６の一部を構成することになる。
【００１９】
移動パネル４には図４、図５に示すように通気孔部７を設けることができる。この場合、通気孔部７に通気隙間８を介して通気孔部７を覆う遮蔽部９を設けることで、図４（ｂ）、図５（ｂ）の矢印のように通気隙間８、通気孔部７を介して開口部２と室内とを連通し、開口部２を開にした状態で室内に通気ができるものである。
【００２０】
また、図６に示すように移動パネル４に例えば棒状をした多数のハンギング用部材２０を取付けてもよいものである。このように移動パネル４に多数のハンギング用部材２０を取付けることで、任意のハンギング用部材２０に吊り下げ物２１を吊すことができるものである。
【００２１】
なお、上記実施形態では開口部２を有する壁６に移動パネル４を移動自在に取付けるにあたり、壁６としては建物の外壁だけでなく、内壁であってもよいのはもちろんである。
【００２２】
【発明の効果】
上記のように本発明の請求項１記載の発明にあっては、建物の室内に壁に沿って移動自在に移動パネルを設け、移動パネルの移動領域の一部に開口部を設け、移動パネルにより開口部を室内側から遮蔽自在としてあるので、開口部を室内側から遮蔽した場合には開口部を確実に遮蔽し、室内において開口部の存在を視覚的に感じさせないようにできて、開口部の無い別の部屋のような状態に室内を演出することが可能となり、また、開口部を室内に露出させたい場合には移動パネルを移動して開口部を露出させればよく、このように移動パネルを移動するのみで簡単に部屋の感じを異なる感じに変更することができるものである。また、開口部の上縁部に沿って開口部の上縁部よりも長い上化粧部材を壁の室内側の面に沿って配設し、上化粧部材に取付けた上のレールに移動パネルの上部を移動自在としてあるので、移動パネルを室内側において簡単な構成で移動自在とすることができるものである。また開口部の上及び開口部の上の側方に簡単な構成で棚を形成できるものである。
【００２３】
また、請求項２記載の発明にあっては、上記請求項１記載の発明の効果に加えて、棚の上面部に板状装飾体の下端部を支持するための支持突起を設けてあるので、棚の上面に板状装飾体の下端部を載せて板状装飾体を室内側壁面に立て掛けた際に、板状装飾体の下端部が支持突起により支持されて滑らないようにできるものであって、板状装飾体を棚に安定して載置できるものである。
【００２４】
また、請求項３記載の発明にあっては、上記請求項１記載の発明の効果に加えて、移動パネルに通気孔部を設け、該通気孔部に通気隙間を介して通気孔部を覆う遮蔽部を設けてあるので、開口部を移動パネルで覆って室内の感じが開口部がないような状態にした場合でも簡単な構成で移動パネル部分において室内の通気が可能となるものである。
【図面の簡単な説明】
【図１】本発明の断面図である。
【図２】同上の斜視図である。
【図３】（ａ）は同上の開口部を移動パネルで閉じていない状態の正面図であり、（ｂ）は開口部を移動パネルで閉じた状態の正面図である。
【図４】同上の移動パネルの一実施形態を示し、（ａ）は正面図であり、（ｂ）は断面図である。
【図５】同上の移動パネルの他の実施形態を示し、（ａ）は正面図であり、（ｂ）は断面図である。
【図６】同上の移動パネルの他の実施形態を示す正面図である。
【符号の説明】
２  開口部
３  レール
３ａ  上レール
４  移動パネル
５  上化粧部材
６  壁
７  通気孔部
８  通気隙間
９  遮蔽部
１０  板状装飾体
１１  支持突起
【図１】
0003613114.tif 000002
【図２】
0003613114.tif 000003
【図３】
0003613114.tif 000004
【図４】
0003613114.tif 000005
【図５】
0003613114.tif 000006
【図６】
0003613114.tif 000007